(57)【特許請求の範囲】
【請求項１】
参照光と被検眼を経由した測定光との干渉光から断層画像を得る光干渉断層撮影装置であって、
前記光干渉断層撮影装置の着脱可能な装着部材の装着の有無を検知する検知手段と、
前記着脱可能な装着部材を装着して実行される前眼部撮影のための調整、又は、前記着脱可能な装着部材を装着しないで実行される後眼部撮影のための調整を行う調整手段と、
前記被検眼の断層画像が撮影された際の前記検知手段で得られた前記着脱可能な装着部材の装着の有無の情報と前記断層画像とを関連付けて記憶する記憶手段とを有し、
前記調整手段は、前記記憶手段に記憶された前記着脱可能な装着部材の装着の有りの情報が関連付けられた前記断層画像の前記被検眼を再度撮影する場合に、前記検知手段で前記着脱可能な装着部材が装着されていないことが検知された場合に前記調整を禁止することを特徴とする光干渉断層撮影装置。
【請求項２】
前記着脱可能な装着部材は、前眼撮影用レンズ、顎を受ける部材の少なくともいずれかであることを特徴とする請求項１に記載の光干渉断層撮影装置。
【請求項３】
前記記憶手段は、前記被検眼の断層画像が撮影された際の前記参照光と前記測定光の光路長差に関連する情報を更に記憶しており、
前記調整手段は、前記再度撮影する場合に、前記検知手段で前記着脱可能な装着部材が装着されていることが検知された場合は前記記憶手段に記憶する光路長差に制御することを特徴とする請求項１又は２に記載の光干渉断層撮影装置。
【請求項４】
前記記憶手段は、前記被検眼の断層画像が撮影された際の前記参照光と前記測定光の光路長差に関連する情報を更に記憶しており、
前記調整手段は、前記再度撮影する場合に、前記検知手段で前記着脱可能な装着部材が装着されていないことが検知された場合は光路長差の調整を禁止することを特徴とする請求項１又は２に記載の光干渉断層撮影装置。
【請求項５】
参照光と被検眼を経由した測定光との干渉光から断層画像を得る光干渉断層撮影装置の制御方法であって、
前記光干渉断層撮影装置の着脱可能な装着部材の装着の有無を検知する検知工程と、
前記着脱可能な装着部材を装着して実行される前眼部撮影のための調整、又は、前記着脱可能な装着部材を装着しないで実行される後眼部撮影のための調整を行う調整工程と、
前記被検眼の断層画像が撮影された際の前記検知工程で得られた前記着脱可能な装着部材の装着の有無の情報と前記断層画像とを関連付けて記憶する記憶工程とを有し、
前記調整工程において、前記記憶工程で記憶された前記着脱可能な装着部材の装着の有りの情報が関連付けられた前記断層画像の前記被検眼を再度撮影する場合に、前記着脱可能な装着部材が装着されていないことが検知された場合に前記調整を禁止することを特徴とする干渉断層撮影装置の制御方法。
【請求項６】
請求項５に記載の制御方法を実行するためのコンピュータプログラム。
【発明の詳細な説明】
【技術分野】
【０００１】
本発明は、光干渉断層撮影装置、光干渉断層撮影装置の制御方法、およびプログラムに関する。
【背景技術】
【０００２】
光干渉断層計（ＯＣＴ；Ｏｐｔｉｃａｌ  Ｃｏｈｅｒｅｎｃｅ  Ｔｏｍｏｇｒａｐｈｙ）などの眼部の断層画像撮像装置は、組織例えば網膜層内部の状態を三次元的に観察することが可能である。ＯＣＴの形態として、例えば、広帯域な光源とマイケルソン干渉計を組み合わせたＴＤ−ＯＣＴ（Ｔｉｍｅ  ｄｏｍａｉｎ  ＯＣＴ）がある。これは、参照アームの光路を変更しながら参照アームの後方散乱光と信号アームの後方散乱光との干渉光を計測することで深さ分解の情報を得る。また参照アームの光路を変更させる代わりに分光器を用い、分光された光をラインセンサで検出しインターフェログラムを取得するＳＤ−ＯＣＴ（Ｓｐｅｃｔｒａｌ  ｄｏｍａｉｎ  ＯＣＴ）が知られている。また、光源として、高速波長掃引光源を用いることで、単一チャネル光検出器でスペクトル干渉を計測する手法によるＳＳ−ＯＣＴ（Ｓｗｅｐｔ  Ｓｏｕｒｃｅ  ＯＣＴ）が知られている（特許文献１）。このように光干渉断層計は発展してきており、一台の装置で複数の領域が撮影できるように開発が進められようとしている。例えば眼科であれば、前眼部や後眼部の撮影を一台でおこなわれ始めている。
【０００３】
ＯＣＴでは、参照光と測定光の光路長差が小さいほど、つまり光路長が同じ位置（コヒーレンスゲート位置）に近いほど良好な画質が得られる。特許文献２では、画像のＳＮに応じて上述の参照光と測定光の光路長差を変更させることが開示されている。
【先行技術文献】
【特許文献】
【０００４】
【特許文献１】ＵＳＰ５３２１５０１
【特許文献２】特開２００８−１５４９４１号公報
【発明の概要】
【発明が解決しようとする課題】
【０００５】
しかしながら、複数の領域を撮影する場合に、撮影装置の状態が必ずしも撮影対象にあったものとなっていない場合があった。
【０００６】
そこで本発明は、ＯＣＴ撮影において撮影対象にあった撮影装置の状態にすることを目的とする。
【課題を解決するための手段】
【０００７】
そこで、本発明の光干渉断層撮影装置は、
参照光と被検眼を経由した測定光との干渉光から断層画像を得る光干渉断層撮影装置であって、
前記光干渉断層撮影装置の着脱可能な装着部材の装着の有無を検知する検知手段と、
前記着脱可能な装着部材を装着して実行される前眼部撮影のための調整、又は、前記着脱可能な装着部材を装着しないで実行される後眼部撮影のための調整を行う調整手段と、
前記被検眼の断層画像が撮影された際の前記検知手段で得られた前記着脱可能な装着部材の装着の有無の情報と前記断層画像とを関連付けて記憶する記憶手段とを有し、
前記調整手段は、前記記憶手段に記憶された前記着脱可能な装着部材の装着の有りの情報が関連付けられた前記断層画像の前記被検眼を再度撮影する場合に、前記検知手段で前記着脱可能な装着部材が装着されていないことが検知された場合に前記調整を禁止することを特徴とする。
【発明の効果】
【０００８】
本発明によれば、ＯＣＴ撮影において撮影対象にあった撮影装置の状態にすることができる。
【図面の簡単な説明】
【０００９】
【図１】本実施形態に係る光干渉断層撮影装置の全体構成の概略図である。
【図２】光干渉断層撮影装置の外観を示す図である。
【図３】制御部の構成の詳細を示す図である。
【図４】ＯＣＴで撮像された断層画像の一例を示す図である。
【図５】光干渉断層撮影装置による処理の流れを示すフローチャートである。
【図６】撮影前の調整処理の流れを示すフローチャートである。
【図７】コヒーレンスゲート調整処理の流れを示すフローチャートである。
【図８】連続撮影モードでの撮影処理の流れを示すフローチャートである。
【図９】前眼部ＯＣＴ撮影モードでの撮影用画面の一例を示す図である。
【図１０】前眼部撮影の際の撮影用画面のその他の例を示す図である。
【図１１】眼底撮影の際の撮影用画面の一例を示す図である。
【図１２】眼底撮影の際の撮影用画面のその他の例を示す図である。
【図１３】解析結果の表示画面の一例を示す図である。
【図１４】表示部１９２におけるその他の表示例である。
【図１５】表示モードの設定処理の流れを示すフローチャートである。
【発明を実施するための形態】
【００１０】
本発明の実施形態を、図面を用いて詳細に説明する。
【００１１】
［装置の全体構成］
図１は、本実施形態における光干渉断層撮影装置の構成を示す図である。本実施形態に係る光干渉断層撮影装置は、波長掃引型の光源からの光を、参照光と被写体を経由する測定光に分割し、これら２つの光束の干渉光から断層画像を得る光干渉断層撮影装置である。実施形態に係る光干渉断層撮影装置は、ＳＳ−ＯＣＴ（Ｓｗｅｐｔ  Ｓｏｕｒｃｅ  ＯＣＴ；以下、ＯＣＴ）１００、走査型検眼鏡（Ｓｃａｎｎｉｎｇ  Ｌａｓｅｒ  Ｏｐｈｔｈａｌｍｏｓｃｏｐｅ：以下、ＳＬＯ）１４０、前眼部撮像部１６０、内部固視灯１７０、制御部２００を有する。
【００１２】
内部固視灯１７０を点灯して被検眼に注視させた状態で、前眼部撮像部１６０により観察される被検眼の前眼部の画像を用いて、装置のアライメントが行われる。アライメント完了後に、ＯＣＴ１００とＳＬＯ１４０による眼底の撮像が行われる。
【００１３】
＜ＯＣＴ１００の構成＞
ＯＣＴ１００は、波長掃引型の光源からの光により前記被検眼の前記撮影対象の部位を走査することにより断層画像を撮影する撮影部として機能する。ＯＣＴ１００の構成について説明する。
【００１４】
光源１０１は、波長を変化させることが可能な波長掃引型光源であり、例えば、中心波長１０４０ｎｍ、バンド幅１００ｎｍの光を出射する。光源１０１から出射された光は、ファイバ１０２、偏光コントローラ１０３を介して、ファイバカップラ１０４に導かれ、光量を測定するファイバ１３０とＯＣＴ測定するファイバ１０５に分岐される。光源１０１から出射された光は、ファイバ１３０を介し、ＰＭ（Ｐｏｗｅｒ  Ｍｅｔｅｒ）１３１にてパワーが測定される。ファイバ１０５を介した光は、第二のファイバカップラ１０６に導かれる。ファイバカップラ１０６は光源１０１からの光が伝送される光路を参照光路と測定光路とに分割する分割部として機能する。これにより光源からの光は、測定光（ＯＣＴ測定光とも言う）と参照光に分岐される。偏光コントローラ１０３は、光源１０１から出射された光の偏光の状態を調整するものであり、直線偏光に調整される。ファイバカップラ１０４の分岐比は、９９：１であり、ファイバカップラ１０６の分岐比は、９０（参照光）：１０（測定光）である。
【００１５】
ファイバカップラ１０６で分岐された測定光は、ファイバ１１８を介してコリメータ１１７から平行光として出射される。出射された測定光は、眼底Ｅｒにおいて測定光を水平方向にスキャンするガルバノミラーから構成されるＸスキャナ１０７、レンズ１０８、１０９、眼底Ｅｒにおいて測定光を垂直方向にスキャンするガルバノミラーから構成されるＹスキャナ１１０を介し、ダイクロイックミラー１１１に到達する。Ｘスキャナ１０７、Ｙスキャナ１１０は、駆動制御部１８０により制御され、眼底Ｅｒで所望の範囲の領域を測定光により走査することができる。ダイクロイックミラー１１１は、９５０ｎｍ〜１１００ｎｍの光を反射し、それ以外の光を透過する特性を有する。光源から被検眼までの光学系が撮影光学系として構成されている。
【００１６】
ダイクロイックミラー１１１により反射された測定光は、レンズ１１２を介し、ステージ１１６上に乗ったフォーカスレンズ１１４に到達する。眼底の網膜層の断層撮影を行う撮影モードの場合、フォーカスレンズ１１４で測定光は、被検体である眼の前眼部Ｅａを介し、眼底Ｅｒの網膜層にフォーカスされる。眼底Ｅｒを照射した測定光は各網膜層で反射・散乱し、上述の光路を経由してファイバカップラ１０６に戻る。眼底Ｅｒからの測定光はファイバカップラ１０６からファイバ１２５を介し、ファイバカップラ１２６に到達する。前眼部の断層撮影を行う撮影モードの場合、フォーカス位置を眼底ではなく前眼部の所定の部位に合わせる。この前眼部へのフォーカス調整は、フォーカスレンズ１１４の位置を移動させることにより行っても良いが、あるいは専用のレンズ等の光学部材をフォーカスレンズ１１４の前後の光路に挿入することでフォーカス位置を調整することができる。この場合、光学部材は駆動部により光路に対して挿脱可能である。駆動部は前眼部撮影モードが選択された場合には光学部材を光路に挿入し、眼底撮影モードが選択された場合には光学部材を光路中から退避させる。
【００１７】
一方、分岐部としてのファイバカプラ１０６で分岐された参照光は、ファイバ１１９を介してコリメータ１２０−ａから平行光として出射される。出射された参照光は分散補償ガラス１２１を介し、コヒーレンスゲートステージ１２２上の参照ミラー１２３−ａ、１２３−ｂで反射され、コリメータ１２０−ｂ、ファイバ１２４を介し、ファイバカップラ１２６に到達する。ここで、ファイバカプラ１０６から参照ミラー１２３−ａ、１２３−ｂまでの光学系が参照光学系として構成される。
【００１８】
コヒーレンスゲートステージ１２２は、参照ミラー１２３−ａ、１２３−ｂの位置を変更する変更部として機能し、係る機能により測定光の光路長と参照光の光路長を調整する。ミラー１２３は測定光の光路と参照光の光路の光路長が等しくなる位置が撮影対象付近となるように配置される。コヒーレンスゲートステージ１２２は被検眼の眼軸長の相違等に対応する為、駆動制御部１８０で制御される。駆動制御部１８０による制御については後述する。
【００１９】
ファイバカップラ１２６は参照光路を経由した参照光と測定光路を経由した測定光とを合波する合波部として機能する。これによりファイバカップら１２６に到達した測定光と参照光は合波されて干渉光となり、ファイバ１２７、１２８を経由し、合波された光を検出する光検出器である差動検出器（ｂａｌａｎｃｅｄ  ｒｅｃｅｉｖｅｒ）１２９によって干渉信号が電気信号に変換される。変換された電気信号は信号処理部１９０で解析される。
【００２０】
＜ＳＬＯ１４０の構成＞
ＳＬＯ１４０の構成について説明する。
【００２１】
光源１４１は、半導体レーザであり、本実施例では、例えば、中心波長７８０ｎｍの光を出射する。光源１４１から出射された測定光（ＳＬＯ測定光とも言う）は、ファイバ１４２を介し、偏光コントローラ１４５で直線偏光に調整され、コリメータ１４３から平行光として出射される。出射された測定光は穴あきミラー１４４の穴あき部を通過し、レンズ１５５を介し、眼底Ｅｒにおいて測定光を水平方向にスキャンするガルバノミラーから構成されるＸスキャナ１４６、レンズ１４７、１４８、眼底Ｅｒにおいて測定光を垂直方向にスキャンするガルバノミラーから構成されるＹスキャナ１４９を介し、ダイクロイックミラー１５４に到達する。Ｘスキャナ１４６、Ｙスキャナ１４９は駆動制御部１８０により制御され、眼底上で所望の範囲を測定光で走査できる。ダイクロイックミラー１５４は、７６０ｎｍ〜８００ｎｍを反射し、それ以外の光を透過する特性を有する。
【００２２】
ダイクロイックミラー１５４にて反射された直線偏光の測定光は、ダイクロイックミラー１１１を透過後、ＯＣＴ１００のＯＣＴ測定光と同様の光路を経由し、眼底Ｅｒに到達する。
【００２３】
眼底Ｅｒを照射したＳＬＯ測定光は、眼底Ｅｒで反射・散乱され、上述の光学経路をたどり穴あきミラー１４４に達する。穴あきミラー１４４で反射された光が、レンズ１５０を介し、アバランシェフォトダイオード（以下、ＡＰＤ）１５２で受光され、電気信号に変換されて、信号処理部１９０で受ける。
【００２４】
ここで、穴あきミラー１４４の位置は、被検眼の瞳孔位置と共役となっており、眼底Ｅｒに照射された測定光が反射・散乱された光のうち、瞳孔周辺部を通った光が、穴あきミラー１４４によって反射される。
【００２５】
＜前眼部撮像部１６０＞
前眼部撮像部１６０について説明する。
【００２６】
前眼部撮像部１６０は、波長８５０ｎｍの照明光を発するＬＥＤ１１５−ａ、１１５−ｂから成る照明光源１１５により前眼部Ｅａを照射する。前眼部Ｅａで反射され光は、レンズ１１４、レンズ１１２、ダイクロイックミラー１１１、１５４を介し、ダイクロイックミラー１６１に達する。ダイクロイックミラー１６１は、８２０ｎｍ〜９００ｎｍの光を反射し、それ以外の光を透過する特性を有する。ダイクロイックミラー１６１で反射された光は、レンズ１６２、１６３、１６４を介し、前眼部カメラ１６５で受光される。前眼部カメラ１６５で受光された光は、電気信号に変換され、信号処理部１９０で受ける。
【００２７】
＜内部固視灯１７０＞
内部固視灯１７０について説明する。
【００２８】
内部固視灯１７０は、表示部１７１、レンズ１７２で構成される。表示部１７１として複数の発光ダイオード（ＬＤ）がマトリックス状に配置されたものを用いる。発光ダイオードの点灯位置は、駆動制御部１８０の制御により撮像したい部位に合わせて変更される。表示部１７１からの光は、レンズ１７２を介し、被検眼に導かれる。表示部１７１から出射される光は５２０ｎｍで、駆動制御部１８０により所望のパターンが表示される。
【００２９】
＜画像処理＞
次に、信号処理部１９０における画像生成、画像解析について説明する。
【００３０】
＜断層画像生成、及び、眼底画像生成＞
信号処理部１９０は、差動検出器１２９から出力されたそれぞれの干渉信号に対して、一般的な再構成処理を行うことで、断層画像を生成する。
【００３１】
まず、信号処理部１９０は、干渉信号から固定パターンノイズ除去を行う。固定パターンノイズ除去は検出した複数のＡスキャン信号を平均することで固定パターンノイズを抽出し、これを入力した干渉信号から減算することで行われる。
【００３２】
次に、信号処理部１９０は、有限区間でフーリエ変換した場合にトレードオフの関係となる、深さ分解能とダイナミックレンジを最適化するために、所望の窓関数処理を行う。次に、ＦＦＴ処理を行う事によって、断層信号を生成する。
【００３３】
＜撮影モード切替＞
図２の外観図に基づいて、前眼部と後眼部の撮影モードの切り替えについて説明する。図２では光干渉断層撮影装置２０が複数の物理的なユニットに分かれて構成されている。ＯＣＴ−１００は可変波長光源を用いることにより長波長の光を撮影に用いることができるため、眼底の網膜のような厚さの小さい対象のみならず、前眼部のような比較的厚さのある対象を撮影するのにも向いている。ＳＳ−ＯＣＴ測定光と参照光の光路差が大きく離れても感度低下を抑制することができるため、この点でも厚みのある対象を撮影するのに向いている。この特性を利用して、ＳＳ−ＯＣＴにより前眼部と後眼部の両方の撮影が可能である。
【００３４】
そのため、前眼部と後眼部の撮影モードに応じて撮影用画面を切り替える。例えば、前眼部であれば後述の図９，１０の撮影用画面を用い、後眼部であれば図１１、１２，１３が用いられる。前眼部用の撮影用画面の前記断層画像を表示する画面は、深さ方向の表示範囲に対する水平方向の表示範囲の比率が後眼用の撮影用画面の前記断層画像を表示する画面における比率より小さい。
【００３５】
図２（ａ）に示す光干渉断層撮影装置２０において２０８は前眼画像および眼底の２次元像および断層像を取得するための測定光学系である光学ヘッド、２０７は光学ヘッドをＸＹＺ方向に不図示のモータを用いて移動可能とした移動部であるステージ部である。ステージ部２０７は被検眼と光干渉断層撮影装置２０との距離及び位置関係を変更するアラインメント部として機能する。２０６は後述の分光器を内蔵するベース部である。２０９はステージ部の制御部を兼ねるパソコンであり、ステージ部の制御とともに後述する断層画像の構成等を行う。２１１は被検者情報記憶部と検査セット記憶手段断層撮像用のプログラムなどを記憶するハードディスクである。２１０は表示部であるモニタであり、２１２はパソコンへの指示を行う入力部であり、具体的にはキーボードとマウスから構成される。２０３は顔受けであり、被検者のあごと額とを固定することで、被検者の眼の固定を促す。２０４は、被検者の額を受けるシリコンゴム部材である。（以下では額当てと呼ぶ）２０５は被検者の顎を受ける部材で、不図示のアクチュエータにて、Ｙ軸方向に３０ｍｍのストロークで動作し、被検眼の高さを調整する。（以下では顎受けと呼ぶ）額受けシリコンゴム部材２０４の取り付け部の上側筐体内部にホール素子２０１が取り付けられている。顎を受ける部材２０５の内部にも、ホール素子２０２が取り付けられている。ホール素子２０１および２０２は、眼科検査装置２００の内部に設置された不図示のＣＰＵ基板に接続されており、磁気を検知した場合に、検知する仕組みになっている。
【００３６】
なお、ここで述べた被検者の顎を受ける顎受け、あるいは額を受ける額受け（額当て）は本発明における装着部材の一態様であり、これらは少なくともその一方が用いられれば良い。また、これら装着部材は、眼科装置に装着されることにより、眼科装置の焦点を前眼部に対して移動させる作用を有する。
【００３７】
図２（ｂ）は前眼部撮影用のアダプタ部を装着した状態の光干渉断層撮影装置の例である。２５１は対物レンズ鏡筒部である。２５２は、焦点位置を被検者２５６の前眼部へ合わせるための部材である。（以下では前記部材２５２をアタッチメント額当てと呼ぶ）材質はシリコンゴムで出来ている。２５５は磁石である。磁石２５５は、アタッチメント額当て２５２の内部に組み込まれており、額当て２０４にかぶせるように顔受け２０３に装着する。そして脱落しないように不図示の面ファスナーあるいは着脱機構を設けて、顔受け２０３から脱落しないようにする。額当て２０４にかぶせるように顔受け２０３に装着するとホール素子２０１が磁気に反応し、アタッチメント額当て２５２が本体へ装着されていることを眼科装置２００の内部に設置された不図示のＣＰＵが検知する。２５３は、焦点位置を被検者２５６の前眼部へ合わせるための部材である。（以下では前記部材２５３をアタッチメント顎当てと呼ぶ）材質はシリコンゴムで出来ている。２５４は磁石である。磁石２５６は、アタッチメント顎当て２５３の内部に組み込まれており、顎当て２５３に被せるように顎受け２０５に装着する。アタッチメント顎当て２５３を顎受け２０５に被せるとホール素子２０２が磁気に反応し、アタッチメント顎受けが顎受け部へ装着されていることを光干渉断層撮影装置２０の内部に設置された不図示のＣＰＵが検知する。２７１は前眼撮影用レンズが組み込まれた鏡筒である。従って、この場合には装着部材として、対物レンズの前に装着される光学部材も含まれる。対物レンズ鏡筒部２５１の不図示フィルターネジ部へねじ込んで光干渉断層撮影装置２０へ装着している。２７２は磁石である。磁石２７２は、鏡筒２７１のフィルターネジ付近に組み込まれている。２７３はホール素子である。ホール素子２７３は、光干渉断層撮影装置２０の内部に設置された不図示のＣＰＵに電気的に接続されている。対物レンズ鏡筒部２７１の不図示フィルターネジ部へねじ込んで光干渉断層撮影装置２０へ装着するとホール素子２７３が、磁石２７２に反応し、鏡筒２７１が光干渉断層撮影装置２０に取り付けられたことを光干渉断層撮影装置２０の内部に設置された不図示のＣＰＵが検知する。以上に述べた前眼撮影用装着部材２５２、２５３、２７１の検知にホール素子の例を示したが、静電容量型の距離センサやスイッチ式のセンサで装着を検知してもよい。
【００３８】
なお、これら眼科装置に装着される装着部材の装着の有無を判定するためのホール素子等のセンサ、および当該センサから得られる信号より実際に装着の有無を判定するＣＰＵあるいはパソコン２０９における判定用のモジュール領域は協働して前眼部撮影用のアダプタ部材の装着状態を検出する装着検出部として機能する。また、後述する撮影モード選択手段による前眼部撮影モードの選択の有無の判定も実行する。また、本発明の装着部材としては、測定光の光路における対物レンズの被検眼側に装着する光学部材等もその一態様として例示される。装着検出部は着脱の検出を常に監視し、着脱検出の結果は適宜制御部２００へと通知され、検出結果の変更があった場合にはそのつど通知される。
【００３９】
上述の構成により、前眼部撮影用のアダプタ部が装着されているか否かを自動的に検出することができる。そして、断層画像の撮影が行われた際の断層画像、眼底或いは前眼部の二次元像、断層像の撮像位置の情報、撮影部位の情報、被検者ＩＤの情報，撮影時刻の情報、撮影用画面の情報、光路長差（コヒーレンスゲート）の情報、眼撮影用の装着部材の有無の情報がそれぞれ関連付けられて被検者情報記憶部２１１に記憶される。
【００４０】
＜制御部２００＞
図３に基づいて制御部２００の詳細な構成について説明する。以下に説明される各制御部は制御部２００のコンピュータプログラムに従い制御される。
【００４１】
制御部２００は、撮影部位に応じた制御方法で参照光と測定光の光路長差（コヒーレンスゲート）を制御するＣＧ（コヒーレンスゲート：Ｃｏｈｅｒｅｎｃｅ  Ｇａｔｅ）制御部３０１を有する。この際に被検者情報記憶部２１１に記憶される情報が存在する場合には、被検者に応じた撮影用画面、ＣＧ（コヒーレンスゲート：Ｃｏｈｅｒｅｎｃｅ  Ｇａｔｅ）が情報として設定される。
【００４２】
この際に、過去に撮影された断層像の撮影位置も表示される。例えば、後述の図１０の１００３のラインや図１３の１３０９、１３１０等である。また、前眼部であれば前眼部の二次元画像が表示され、後眼部であれば眼底像が表示される。このように被検者の情報を使用することで撮影用画面の切り替えが迅速に行われる。さらに、前回の撮影の情報を簡易に利用することで過去に撮影した画像との比較も容易になる。
【００４３】
更に、被写体によっては信号の減衰が少なく、コヒーレンスゲートの詳細な調整が不要な場合や、あるいは調整自体が不要な場合がある。この性質を利用して、被検者情報記憶部２１１に記憶される情報に応じて参照光と測定光の光路長差を制御する方法を変えてＣＧ制御部３０１で制御することにより、不要な調整に時間を取られることなく、迅速な調整が可能である。
【００４４】
ＣＧ制御部３０１は、被検者情報記憶部２１１に記憶される情報に基づいて過去に撮像された際の情報に基づいて光路長差を制御する。被検者情報記憶部２１１に、前眼撮影用の装着部材が有りとある場合に同一の被検体を再度撮影する場合に、前記検知手段で前眼撮影用の装着部材が装着されていない場合に前記断層画像の撮影を制限する。例えば、ＣＧ制御部３０１は、光路長差の調整を禁止する。
【００４５】
また、撮影の制限をしない場合に、第一の撮影部位（前眼部）としての前眼部の撮影の際には、被写体に起因する測定光の減衰が小さいため、コヒーレンスゲートの適切な位置を探索しなくとも良い場合がある。よって予め被検者に応じて記憶された値や標準的な被検者に対して設定された値を用いて光路長差を制御すれば、適応的に制御しなくとも画質の良い画像が得られる場合がある。標準的な被検者に対して設定された値を用いて撮像されていた場合には再度この値が初期設定され、変更されていた場合には撮影時のコヒーレンスゲートの位置が初期設定される。また、標準値と異なるコヒーレンスゲートの位置が初期設定されている場合には、ＣＧ制御部３０１は、初期値に光路長差を設定した後も制御を継続する。
【００４６】
一方で第二の撮影部位としての眼底（後眼部）を撮影する場合には、信号の減衰が大きいため、また被写体の厚みが比較的小さいため、コヒーレンスゲートの適切な調整が必要となる。この性質を利用してＣＧ制御部３０１は、前眼部撮影の場合にはコヒーレンスゲートの調整は予め記憶された初期値に光路長差を設定した後も制御を継続する。この際に光路長差を示す情報が撮影用画面の９０９に表示される。
【００４７】
一方で後眼部を撮影する際には、予め被検者に応じて記憶された値、標準的な被検者に対して設定された値、のいずれがコヒーレンスゲートの初期値として設定された場合でもＣＧ制御部３０１は、制御を継続する。また、被検者情報記憶部２１１に、前眼撮影用の装着部材が無とある場合に同一の被検体を再度撮影する場合に、前記検知手段で前眼撮影用の装着部材が装着されている場合にも前記断層画像の撮影を制限する。例えば、ＣＧ制御部３０１は、光路長差の調整を禁止する。
【００４８】
撮影の制限をしない場合に、ＣＧ制御部３０１はコヒーレンスゲートステージ１２２を制御して参照ミラー１２３を移動させながら、適切な光路長差となる位置を探索させる。信号処理部１９０は部位に応じた制御方法で光路長差が制御された状態で干渉光を検出して得られる電気信号に基づき前記被写体の画像データを生成する。これにより画質の良い後眼部の断層画像を得ることができる。ＣＧ制御部３０１により、迅速な撮影と画質の良い画像の取得を両立することができる。特に、被検眼を撮影する場合、被検者に長時間固視を強いることは負担が大きく、撮影のための調整を短時間化する要請が大きい。調整の省略は係る要請に応えるものである。また、撮影サイクルの短縮化による医療の効率を向上させることができる。
【００４９】
光路長差の探索には、画像情報を用いたフィードバック制御を用いることができる。判定部３１０は、所定の長さだけ移動させ、移動させた状態で信号処理部１９０は断層画像を取得し、判定部３１０は参照光と測定光の光路長差が適切か否かを判定する。ＣＧ制御部３０１はこの処理を繰り返す制御を行うことにより、参照ミラー１２３の適切な位置、言い換えれば光路長差の適切な位置を探索する。このようにして、後眼部の撮影をする際のＣＧ制御部３０１による適切な光路長差の探索制御には、信号処理部１９０から得られた断層画像の情報をフィードバックさせることができる。
【００５０】
ここで判定部３１０は、光路長差が適切か否かを判定するための基準として、断層画像の輝度値を用いることができる。この場合判定部３１０は、画像データの画素値の代表値の大きさが特定の閾値以上であるか否かを判定する。断層画像全体の平均値や中央値を当該断層画像の代表値として取得し、かかる代表値が所定の閾値に達するか否かを判定する。代表値を用いることで判定の処理を簡略化しつつ、ノイズの影響を排して精度良く光路長差を設定することができる。
【００５１】
ここで判定部３１０にはさらに、前眼部撮影の場合で初期値による光路長差の調整が適切であったか否かを判定する機能ももたせることができる。この場合判定部３１０は、第一の撮影部位について予め指定された値となるように光路長差を制御した場合に、信号処理部１９０により得られる画像データが特定の基準を満たすか否かを判定する。ＣＧ制御部３０１は、判定部３１０により特定の基準を満たさないと判定された場合に、光路長差を順次変更しつつ得られる干渉光の信号に基づいて前記光路長差を制御する。つまり、初期値により調整がうまくいかないと判定された場合にのみ、第二の撮影部位と同様の探索制御を行う。これにより、前眼部撮影の際の光路長差の調整をより確実に行うことができる。
【００５２】
第一の撮影部位（前眼部）についても、第二の撮影部位（後眼部）と同様の調整を行う制御方法を選択することで、より確実な調整が可能となる。第一の撮影部位に対して適用される制御方法は制御設定部３０３で管理される。撮影部位と制御方法との対応関係はユーザの操作部３１２を介した入力に応じて適宜設定する。これにより、ユーザの嗜好に応じた調整が可能となる。また、この情報は被検者情報記憶部２１１に記憶され後の撮影に利用することができる。
【００５３】
光路長差の制御方法として、撮影部位に応じて調整の際の参照ミラー１２３の移動間隔を変えることで、特に撮影部位の厚みの違いに対応した調整が可能である。ある撮影部位に対しては、ＣＧ制御３０１は、第一の間隔で光路長差を順次変化させながら得られる干渉光の信号に基づいて前記光路長差を決定する制御方法を設定する。別の撮影部位に対しては、ＣＧ制御部３０１は第一の間隔よりも小さい第二の間隔で前記光路長差を順次変化させながら得られる前記干渉光の信号に基づいて前記光路長差を決定する。制御設定部３０３は、撮影部位の情報に応じていずれかの制御方法を設定する。これにより、詳細な探索がそれほど必要のない部位では探索の間隔を大きくして効率を上げ、詳細な探索が必要な部位では探索間隔を小さくして精度を向上させることができる。
【００５４】
また別の制御方法として、ＣＧ制御部３０１は、特定の撮影部位については粗調整と微調整の２段階の調整により光路長差を制御することができる。この場合、ＣＧ制御部３０１は、特定の間隔（第二の間隔）で前記光路長差を順次変化させながら得られる前記干渉光の信号に基づいて前記光路長差についての特定の範囲を決定するとともに、前記特定の範囲内で前記光路長差を順次変化させながら得られる前記干渉光の信号に基づいて前記光路長差を決定する制御方法と、これは、特に後眼部のように詳細な調整が必要な部位について効率よく光路長差を調整することができる方法である。
【００５５】
更には、前眼部では第一の間隔で粗調整のみをおこない、後眼部では第一の間隔よりも小さい第二の間隔での粗調整と、その上での微調整とを行うこと制御方法がある。これにより、厚みがあり、かつ詳細な調整が不要な場合が多い前眼部には前眼部の特性に応じて効率と精度を両立させた光路長差の制御が可能である。一方で厚みが小さくかつ詳細な調整を要する場合が多い後眼部にはかかる特性を考慮して効率と精度を両立させた光路長差の制御が可能である。
【００５６】
ＣＧ制御部３０１は、前眼部のみならず後眼部についても、被検者情報記憶部２１１に記憶される情報に基づいて光路長差の制御のための初期値を用いることで、光路長差の調整を効率的に行うことができる。さらに、被検者情報記憶部２１１に記憶される情報に基づいて撮影用画面を設定することで更に効率化が図れる。また、被検者情報記憶部２１１に記憶される断層画像の撮影位置の情報を用いることで同様の範囲での撮影を行うことができる。この場合、制御部２００は、断層画像の撮影位置の情報を用いて、断層像の撮影を制御することも可能である。Ｘスキャナ１０７、Ｙスキャナ１１０は、駆動制御部１８０を介して断層画像の撮影位置の情報を用いて制御される。
【００５７】
この場合、更にＣＧ制御部３０１は、初期値に対応する位置の近傍から順次参照ミラー１２３を移動させ、基準を超える画質の画像が得られた場合に光路長差の調整を完了したものとし、この際の参照ミラーに対応する位置を記憶部３０９、被検者情報記憶部２１１に格納する。これにより、探索効率の向上が図れる。
【００５８】
また、被検者情報記憶部２１１に記憶される情報がない場合に、撮影部位や撮影モード毎に初期値を異ならせて保持しておき、撮影部位の情報に応じた初期値を選択する。これにより、被検者情報記憶部２１１に情報がない場合でも部位に応じて迅速な調整や撮影用画面の設定が可能となる。
【００５９】
被検者に応じて撮影用画面、コヒーレンスゲートの初期値を設定する場合には、同一被検眼を時間間隔を置いて繰り返し撮影する場合にも撮影効率を向上させることができる。
【００６０】
初期値は参照光と測定光の光路長差をパラメータとして記憶しておいてもよいが、参照ミラー１２３やコヒーレンスゲートステージ１２２の基準位置からのずれ量を記憶しておくことで、これら部材の特性に応じた精度の良い調整が可能である。
【００６１】
また、制御方法は撮影部位の情報から自動的に設定することができる。被検者情報記憶部２１１に記憶される情報に応じて部位取得部３０２により取得される。取得された部位の情報は制御設定部３０３に入力される。制御設定部３０３は撮影部位に応じて参照光と前記測定光の光路長差の制御方法を設定する。制御設定部３０３は記憶部３０９、被検者情報記憶部２１１のいずれかを参照し、取得された撮影部位に対応するＣＧの制御方法を取得し、ＣＧ制御部３０１に対して設定を通知する。これにより、ＣＧ制御部３０１は部位に応じた制御方法を選択することができる。
【００６２】
また別の例では、前眼部は厚みが比較的大きいことを利用して、光路長差を変更するための参照ミラーの移動間隔を前眼部の厚みに対応する長さを超えない程度に大きくすることができる。
【００６３】
撮影部位の情報は被検者情報記憶部２１１に記憶される情報にと関連付けておくことで、撮影の調整を迅速に実行することができる。被検者情報記憶部２１１に記憶される情報に基づいてモード指定部３１１は撮影モードを指定する。ここでいう撮影モードは複数の撮影に関する設定の情報を含んでいる。例えば、前眼部、後眼部、前眼部の角膜、後眼部の視神経乳頭、などといった撮影部位の情報、ＯＣＴのデフォルト設定のスキャン位置の情報、ラジアルスキャンかＸＹスキャンかのスキャン方法の情報、等の情報を含む。部位取得部３０２は撮影モードの情報を受信し、記憶部のルックアップテーブルを参照して撮影モードに対応する撮影部位の情報を抽出する。これにより、毎回撮影部位毎に操作部３１２を介してユーザが撮影モードを指定するための入力操作を行う、というユーザの手間を軽減することができる。
【００６４】
ここで更に、モード指定部３１１は、複数の撮影部位を連続して撮影するための連続撮影モードを指定することができる。撮影対象が眼部である場合には、たとえば前眼部と後眼部の両方を撮影するための撮影モードがある。この撮影モードでは、前眼部と後眼部の一方の撮影が終了することに応じて他方の撮影準備の少なくとも一部を開始させる。これにより、毎回撮影部位毎に操作部３１２を介してユーザが撮影モードを指定するための入力操作を行う、というユーザの手間をさらに軽減することができる。
【００６５】
さらにモード指定部３１１は、前眼部の撮影が終了することに応じて後眼部の撮影モードに遷移する第一のモードと、後眼部の撮影が終了することに応じて前眼部の撮影モードに遷移するモードのいずれかを指定可能である。いずれかの部位での異常を検知してから、他方の部位の画像で詳細に状況を確認する、というように診断状況に応じた撮影シーケンスを採用することが可能になる。
【００６６】
その他、モード指定部３１１は、自動調整をオフにするか否かを示す自動調整モードを指定することができる。
【００６７】
制御部２００は、図３に示すとおり前眼部撮影用の光学系を撮影光学系に対して挿入及び退避可能な駆動部を制御する光学系変更部３０４を備えることができる。光学系変更部３０４は、前眼部撮影と後眼部撮影とで切り替える際に、水晶体を経由するか否かの差に起因する影響を補正するための不図示の光学系を撮影光路に対して挿入または退避させる制御を行う。これにより、前眼部と後眼部とで撮影部位を切り替える際に、ユーザの手間を軽減させ、撮影効率を向上させる。
【００６８】
その他、制御部２００の駆動制御部１８０は、上述の通りに各部の移動制御を統合的に制御する。制御部２００の駆動制御部１８０は、コヒーレンスゲートステージ１２２を動かすための制御値を駆動部に送り、コヒーレンスゲートステージ１２２の位置を制御する。
【００６９】
ＯＣＴフォーカス制御部３０７は波長掃引型の光源からの光のフォーカス位置を制御する。ＳＬＯフォーカス制御部３０８はＳＬＯの測定光のフォーカス位置を制御する。
【００７０】
＜セグメンテーション＞
解析処理部３１３は、得られた断層画像から診断上有用な情報を抽出する。例えば、前眼部の断層画像から角膜厚や隅角の大きさを算出する。また、後眼部の断層画像から網膜の各層の抽出処理を行う。解析処理部３１３は、前述した輝度画像を用いて断層画像のセグメンテーションを行う。この場合、まず、解析処理部３１３は、処理の対象とする断層画像に対して、メディアンフィルタとＳｏｂｅｌフィルタをそれぞれ適用して画像を作成する（以下、メディアン画像、Ｓｏｂｅｌ画像とする）。次に、作成したメディアン画像とＳｏｂｅｌ画像から、Ａスキャン毎にプロファイルを作成する。メディアン画像では輝度値のプロファイル、Ｓｏｂｅｌ画像では勾配のプロファイルとなる。そして、Ｓｏｂｅｌ画像から作成したプロファイル内のピークを検出する。検出したピークの前後やピーク間に対応するメディアン画像のプロファイルを参照することで、網膜層の各領域の境界を抽出する。更に、Ａスキャンラインの方向に各層厚をそれぞれ計測し、各層の層厚マップを作成する。
【００７１】
解析処理部３１３により得られた解析結果は表示制御部１９１により表示される。
【００７２】
表示制御部１９１は、信号処理部１９０で生成された画像や解析結果等を表示部１９２の表示画面に表示する。表示部１９２は、表示制御部１９１の制御の下、後述するように種々の情報を表示する。
【００７３】
また、部位取得部３０２で取得された部位の情報を表示させる。これにより、複数の調整が自動的に行われる場合、ユーザに対して撮影対象の部位をより強く認識させ、誤撮影の可能性を低減させることができる。
【００７４】
表示制御部１９１は、前眼部撮影用のアダプタ部の装着状態について、着脱に応じて撮影用画面の表示形態を変更して表示させる。ここで、前眼部アダプタの装着の検出に応じて、撮影部位を前眼部であると特定することができる。この場合、部位取得部３０２は前眼部アダプタが装着された場合には自動的に撮影部位を前眼部とする。
【００７５】
またさらに、表示制御部１９１は、必要な調整が完了し、適切な撮影が可能であるような調整状態でない場合には、撮影対象の部位の情報を表示させ、調整が不十分である場合には、撮影対象の部位の情報を表示させない制御をする。ここで、ＯＣＴ１００により撮影対象の部位の断層画像が撮影できる調整状態であるか否かの判定は判定部３１０により行う。
【００７６】
図４に、ＯＣＴ１００で撮像され、信号処理部１９０で生成された断層画像の一例を示す。
【００７７】
図４（Ａ）は正常眼の断層画像であり、図４（Ｂ）は近視眼の断層画像であり、網膜色素上皮―脈絡膜境界４０１と脈絡膜―強膜境界４０２他の各層境界が撮像されている。図に示すように、広い範囲（図の横方向の大きさが大きいとの意味）での断層画像の撮像と、深さ方向に深い（図の縦方向の大きさが大きいとの意味）断層画像の撮像が可能である。なお、断層画像を表示部１９２の表示領域に表示する場合、断層画像が無い領域を表示しても意味が無いため、本実施形態では、信号処理部１９０内のメモリに展開されたデータから断層画像の部分を認識し、表示領域の大きさに合う断層画像を切り出して表示するようにしている。
【００７８】
図４（Ｃ）は前眼部モードで被検眼を撮影して得られる前眼部の断層画像の例である。シュレム氏管４０１０は隅角に開いた小さな複数の孔。前房へ流れてきた房水をここから排出する。角膜４０１１は外膜を形成している透明な膜で光線の入り口。水晶体とともにレンズの働きをする。前房４０１２は房水を蓄える働きをする。房水は角膜や水晶体に栄養を与えている透明な液で、毛様体突起で産生され、眼圧を保つ働きをする。瞳孔４０１３は虹彩の中央にあるまるい穴で、光の入口である。水晶体４０１４は毛様体と連動してピント合わせをする。虹彩４０１５は瞳孔散大筋と瞳孔活約筋があり、明暗により眼内に入る光の量を調節する。
【００７９】
毛様体４０１６は虹彩を固定し、毛様体筋の緊張、弛緩によって水晶体の厚さを変えて網膜に像を結ぶようにピント合わせをする。また房水を産生する。チン小帯（毛様小帯）４０１７は毛様体と水晶体の間を結び水晶体を支えるはたらきをする。脈絡膜４０１８は、毛様血管と色素に富み、網膜などへの栄養補給とカメラの暗室の役割をする。後房４０１９も前房と同じく房水を蓄える。
【００８０】
［処理動作］
図５のフローチャートに従い光干渉断層撮影装置を用いた光干渉断層撮影の制御処理を説明する。
【００８１】
ステップＳ５０１では、部位取得部３０２が撮影対象の部位を取得する。ここで撮影部位の取得は、被検者情報記憶部２１１に記憶される情報に応じてモード指定部３１１が指定する撮影モードの情報を参照して取得される。そして、撮影部位に対応した撮影用画面が表示される。この際に前術のように被検者情報記憶部２１１に記憶される二次元像や撮像位置を示す情報も表示される。
【００８２】
ステップＳ５０２では、撮影に必要な調整処理を行う。被検眼を本装置に配置した状態で、本装置と被検眼のアライメント、測定光のフォーカス位置調整、等を行う。また、ＣＧ制御部３０１が撮影部位に応じた制御方法で前記参照光と前記測定光の光路長差を制御する。これら調整は先述のとおり画像に基づくフィードバック制御を用いた自動調整のみによっても、手動調整のみによってもよい。あるいは自動調整の結果を適宜手動で調整できる構成とすれば、効率的かつユーザの望む状態に調整できる。ステップＳ５０２の処理の詳細は後述する。
【００８３】
ステップＳ５０３で、調整が完了した状態で撮影指示の待機処理を行う。制御部２００は、ユーザが操作部３１２を操作し、操作部３１２から撮影指示を示す入力があるまで待機し、入力があった場合には直ちにステップＳ５０４に移り、ＯＣＴ１００が波長掃引型の光源からの光により被検眼の前記撮影対象の部位を走査することにより断層画像を撮影する。ステップＳ５０５では表示制御部１９１は撮影により得られた断層画像を表示部１９２に表示させる。もちろん、撮影時に得られたＳＬＯ画像や前眼部画像も合わせて表示させることで、複数の側面から撮影された画像により効率的かつ詳細な診断が可能となる。また、被検者情報記憶部２１１に、断層画像の撮影が行われた際の断層画像、眼底或いは前眼部の二次元像、断層像の撮像位置の情報、また、撮影部位の紹鴎、被検者ＩＤの情報，撮影時刻の情報、撮影用画面の情報、光路長差（コヒーレンスゲート）の情報、前眼撮影用の装着部材の有無の情報がそれぞれ関連付けられて記憶される。
【００８４】
ステップＳ５０６では、制御部２００は、得られた断層画像または画像群に対して解析処理部３１３による解析指示を待つ。解析の指示は撮影指示と同じくユーザによる操作部３１２の入力に基づいて行う。指示があった場合、解析処理部３１３は解析処理を開始する。ここで別の実施形態として、指示によらず解析処理を行うようにする事も可能である。この場合、制御部２００でステップＳ５０４の撮影処理の終了を検出することに応じて、解析処理部３１３に解析処理を指示し、ステップＳ５０７を実行させる。これにより、特に検診等で決まった解析処理をすることが予め分かっている場合には、余計な操作を排し効率的である。ステップＳ５０８で表示制御部１９１は解析処理の結果を表示部１９２に表示させる。ステップＳ５０６乃至Ｓ５０８の、解析処理の指示から解析処理の表示までの処理は、設定に応じて制御部２００が省略することとしてもよい。かかる設定は、解析処理を要しない診断において有用である。
【００８５】
ステップＳ５０９で制御部２００は再撮影の指示を待機する。操作部３１２から再撮影を指示する入力があった場合には、制御部２００はＯＣＴ１００に再撮影を指示し、ステップＳ５０２へと進む。別の例では、再度調整をやりなおす必要があるか否かを判定部３１０で判定し、調整が完了していると判定された場合には、ステップＳ５０４の撮影処理に遷移することとすれば効率的である。
【００８６】
ステップＳ５１０で制御部２００は終了指示を待機し終了の指示があった場合には、制御部２００は撮影を終了させる。仮に左右眼の切り替えや、被検者が変わる場合には、再度ステップＳ５０１からの処理を行うこととなる。
【００８７】
図６のフローチャートに従い実施形態に係る撮影の調整処理の流れを説明する。
【００８８】
ステップＳ６０１で制御部２００は、被検者情報記憶部２１１に記憶される情報に基づいて前眼部が撮影部位であるか否かを判定する。部位取得部３０２で得られる部位情報を用いて判定することも、アダプタ検出部による前眼部撮影用のアダプタが装着されているか否かにより判定することもできる。あるいはその両方を用いて判定することでより確実に撮影部位を設定することができる。前眼部撮影と判定された場合にはステップＳ６０２に進み、後眼部撮影と判定された場合にはステップＳ６１０に進む。
【００８９】
ステップＳ６０２で光学系変更部３０４は、前の撮影の影響等により前眼部撮影用の光学系が撮影光路中に配置されていない場合には、駆動部を制御して光学系を撮影光路中に挿入させる。
【００９０】
ステップＳ６０３で表示制御部１９１は、前眼部撮影用のＧＵＩの表示部１９２への表示を開始させる。例えば、ステップＳ５０１で設定された撮影部位の情報が表示される。表示部１９２に表示されたＧＵＩは調整や撮影の進行に応じて適宜表示制御部１９１により表示が変更される。また例えば、制御部２００は調整の進行に応じて複数の調整項目についての調整状態を取得する。表示制御部１９１は被検眼の断層画像を表示させるとともに、取得された複数の調整状態を指定された撮影モードに応じて表示部に表示させる。ＧＵＩの詳細は後述する。
【００９１】
ステップＳ６０４で制御部２００は、前眼部撮影部１６０に前眼部の撮影を開始させる。前眼部の撮影は、前眼部と光干渉断層撮影装置のアラインメントを手動または自動で調整するために行われる。また、前眼部の断層画像を撮影する際には前眼部の断層撮影位置をユーザが指定するために用いられる。
【００９２】
ステップＳ６０５では、アラインメント部として機能するステージ部２０７を駆動させてアラインメント調整が行われる。手動での調整は操作部３１２や不図示のジョイスティックによりステージ部２０７を移動させることで調整される。あるいは、前眼部の画像を用いて制御部２００で自動的にアラインメントを行うこととしてもよい。
【００９３】
ステップＳ６０５５で判定部３１０は、アラインメントの調整が完了したか否かを判定する。完了していない判定された場合には、制御部２００はステージ部２０７を駆動して更なる調整を行う。手動で撮影を行う場合には係る判定処理を行わないこととする。
【００９４】
ステップＳ６０６でＯＣＴ１００は、ＯＣＴのプレ撮影を開始する。プレ撮影は、本番の撮影前に撮影条件や撮影位置を設定するための撮影である。具体的には、光源１０１に光を射出させ、ＸＹスキャナを駆動し、差動検出器１２９で干渉光を検出し、信号処理部１９０で断層画像を生成する。この時点ではＯＣＴ１００のフォーカスやコヒーレンスゲートの設定はされていないため、必ずしも目的の断層画像が得られているとは限らない。
【００９５】
ステップＳ６０７でＯＣＴフォーカス制御部３０７は、断層画像の画像信号に基づいてＯＣＴのフォーカス位置を制御する。
【００９６】
ステップＳ６０８でＣＧ制御部３０１は参照光と測定光の光路長差を被検者情報記憶部２１１に記憶される情報に基づいて初期位置に設定する。この処理では、被検者情報記憶部２１１に記憶される情報に対応する初期値を取得し、駆動制御部１８０を通じてコヒーレンスゲートステージ１２２を駆動し、参照ミラー１２３を初期値に対応する初期位置に移動させる。
【００９７】
ステップＳ６０９で表示制御部１９１は、断層画像の信号を表示させる。ここで表示される画像データは、部位に応じて光路長差が制御された状態で干渉光を検出して得られる電気信号に基づき信号処理部１９０で生成される前記被写体の画像データである。
【００９８】
一方で後眼部撮影の場合、ステップＳ６１０では、光学系変更部３０４は、前の撮影の影響等により前眼部撮影用の光学系が撮影光路中に配置されている場合には、駆動部を制御して光学系を撮影光路から退避させる。
【００９９】
ステップＳ６１１で表示制御部１９１は、後眼部撮影用のＧＵＩの表示部１９２への表示を開始させる。
【０１００】
ステップＳ６１２で制御部２００は、ステップＳ６０４と同様に前眼部撮影部１６０に前眼部の撮影を開始させる。
【０１０１】
ステップＳ６１３では、ステップＳ６０５と同様にアラインメント調整がおこなわれる。
【０１０２】
ステップＳ６１３５で判定部３１０は、ステップＳ６０５５と同様の判定処理が行う。
【０１０３】
ステップＳ６１４でＳＬＯフォーカス制御部３０８は、ＳＬＯのフォーカス位置を調整して眼底にフォーカスを合わせる。
【０１０４】
ステップＳ６１５でＯＣＴ１００は、ステップＳ６０６と同様にプレ撮影を開始させる。
【０１０５】
ステップＳ６１６でＯＣＴフォーカス制御部３０７は、ＳＬＯのフォーカス位置に基づいてＯＣＴのフォーカス位置を設定する。
【０１０６】
ステップＳ６１７でＣＧ制御部３０１は、参照光と測定光の光路長差を断層画像の画像信号に基づいて決定する。ＣＧ制御部３０１はコヒーレンスゲートステージ１２２を制御して参照ミラー１２３を移動させながら、適切な光路長差となる位置を探索させる。
【０１０７】
ステップＳ６１８で表示制御部１９１は、信号処理部１９０で得られた断層画像の信号を表示させる。
【０１０８】
ステップＳ６１９で判定部３１０は、網膜の画像が適切に得られているかを判定する。この判定は、画像の輝度値が閾値以上となっているかを用いて判定する。あるいは、撮影部位に応じたパターンマッチングで適切な断層画像が得られているかを判定することとしてもよい。
【０１０９】
ステップＳ６２０で制御部２００は、ＳＬＯ画像に基づいて眼底の動きを補償するためのトラッキングをＳＬＯ１４０に開始させる。トラッキングにより得られる眼底の動きの情報は適宜制御部２００に入力され、制御部２００は動きを補償するようにＯＣＴ１００及びＳＬＯ１４０のスキャナの位置を移動させる。トラッキングの開始は、Ｓ６１４でＳＬＯのフォーカスが調整され次第開始することとすれば、ＯＣＴの調整をより効率的に行うことができる。
【０１１０】
図７のフローチャートを用いて、１つの実施形態に係るコヒーレンスゲートの調整処理を説明する。図７に示す制御では、ＣＧ制御部３０１は、前眼部については初期値を設定し、それで基準を満たさない場合にのみ、間隔Ｄでミラー１２３を移動させて光路長差を決定する。一方後眼部の撮影の場合には、間隔Ｄ’（＜Ｄ）で光路長差を調整する粗調整を行うとともに、間隔Ｄ’’（＜Ｄ’）で光路長差を調整する微調整を行い、光路長差を決定する。これにより、撮影部位に応じた効率的な調整が可能となる。
【０１１１】
ステップＳ７０１で前眼部撮影か否かを判定する。この判定はステップＳ６０１と同様の処理である。
【０１１２】
ステップＳ７０２でＣＧ制御部３０１は記憶部３０９から前眼部撮影用のＣＧ調整値の初期値を取得する。ここで、記憶部３０９に記憶された標準厚み情報を考慮した値をステップＳ６０５のアラインメント調整時に測定されるワーキングディスタンスに基づいて補正した値を初期値として取得することとすれば、被検者に応じて適切な初期値で調整可能であり、後段のステップＳ７０４以下の処理が行われる確率を減らし、調整を効率化することができる。
【０１１３】
ステップＳ７０３で判定部３１０は、初期値に応じた位置にミラー１２３を配置した状態で得られた断層画像を信号処理部１９０から取得する。そして、断層画像の輝度値が基準を満たすか否かを判定する。基準を満たすと判定された場合には、コヒーレンスゲートの調整が完了する。
【０１１４】
ステップＳ７０４で設定制御部３０３は前眼部の標準厚み情報に基づいて光路長差の変更間隔Ｄを取得する。記憶部３０９に標準厚み情報を考慮した初期値を予め記憶させておいてもよい。
【０１１５】
ステップＳ７０５でＣＧ制御部３０１は、取得された間隔Ｄでミラー１２３の位置を順次変更させる。また制御部２００は、ＯＣＴ１００はミラー１２３が各位置にある状態で断層画像を撮影する。
【０１１６】
ステップＳ７０６で判定部３１０は、ミラーの各位置に対応する断層画像の輝度値の代表値を得る。ＣＧ制御部３０１はもっとも代表値が大きくなる断層画像に対応するミラー１２３の位置を特定し、かかる位置にミラー１２３を移動させる制御をする。
【０１１７】
一方で後眼部撮影の場合、ステップＳ７０７でＣＧ制御部３０１は記憶部３０９から後眼部撮影用のＣＧ調整値の初期値を取得する。
【０１１８】
ステップＳ７０８で、制御設定部は後眼部の厚み情報に基づいて光路長差の変更間隔Ｄ’を取得する。後眼部の厚みは一般に前眼部よりも小さいため変更間隔Ｄ’は前眼部撮影の場合の変更間隔Ｄよりも小さくなる。あるいは、Ｄが予め決まっている場合には、このＤよりも小さい値としてＤ’を設定してもよい。
【０１１９】
ステップＳ７０９でＣＧ制御部３０１は、取得された間隔Ｄ’でミラー１２３の位置を順次変更させる。また制御部２００は、ＯＣＴ１００はミラー１２３が各位置にある状態で断層画像を撮影する。断層画像の取得と並行して判定部３１０は、ミラーの各位置に対応する断層画像の輝度値の代表値を得る。ＣＧ制御部３０１はもっとも代表値が大きくなる断層画像に対応するミラー１２３の位置を特定する。
【０１２０】
ここで、代表値が予め定められた基準値よりも大きくなった場合には、その時点のミラー１２３の移動をいったん停止させることもできる。この場合、ステップＳ７０８で取得した初期位置の近傍から順にミラーを動かすことで、調整時間を短縮できる。
【０１２１】
かかる撮影と判定の並行処理、及び基準値よりも大きい代表値が得られることに応じて調整をいったん停止させる処理は、前眼部撮影の場合の調整に用いることとしても良い。
【０１２２】
ステップＳ７１０で、かかる位置を基準とした所定範囲を微調整の探索範囲として設定する。係る探索範囲は、ステップＳ７０９の粗調整の探索範囲よりも小さい範囲である。よって、この探索範囲を探索するためのミラー１２３の位置の変更間隔Ｄ’’は、変更間隔Ｄ’よりも小さい値として制御設定部３０３により取得される。
【０１２３】
ステップＳ７１１でＣＧ制御部３０１は、取得された間隔Ｄ’’でミラー１２３の位置を順次変更させる。また制御部２００は、ＯＣＴ１００はミラー１２３が各位置にある状態で断層画像を撮影する。
【０１２４】
ステップＳ７１２で判定部３１０は、ミラーの各位置に対応する断層画像の輝度値の代表値を得る。ＣＧ制御部３０１はもっとも代表値が大きくなる断層画像に対応するミラー１２３の位置を決定する。
【０１２５】
なお、調整後も所定の間隔でコヒーレンスゲート位置の調整を行うことで、調整後から撮影開始までの間における光路長差の変化による画質への影響を低減することができる。
【０１２６】
図８のフローチャートを用いて、連続撮影モードが指示された場合の調整処理を説明する。ステップＳ８０３乃至Ｓ８１０の各ステップの処理はそれぞれ、図６のステップＳ６０４、Ｓ６０５、Ｓ６０６、Ｓ６０７、Ｓ６０８、図５のＳ５０３、Ｓ５０４に対応する。また、ステップＳ８１３、Ｓ８１４、Ｓ８１６及びＳ８１７の各処理は、Ｓ６１４、Ｓ６１６、Ｓ５０３及びＳ５０４の各処理に対応している。
【０１２７】
ステップＳ８０１でモード指定部３１１はユーザの操作入力に応じて連続撮影モードを指定する。ここで連続撮影モードとは、複数の撮影部位を連続して撮影するための撮影モードである。撮影対象が眼部である場合には、たとえば前眼部と後眼部の両方を撮影するための撮影モードがある。この撮影モードでは、前眼部と後眼部の一方の撮影が終了することに応じて他方の撮影準備の少なくとも一部を開始させる。この場合には撮影モードに応じて撮影用画面を自動で遷移する場合と、前眼部と後眼部の両方を撮影できる撮影用の画面を表示する場合がある。前眼部と後眼部の両方を撮影するための撮影モードにおいても、被検者情報記憶部２１１に記憶される情報に基づいて撮影用画面が設定される。
【０１２８】
ステップＳ８０２で表示制御部１９１は連続撮影のためのＧＵＩの表示制御を開始する。連続撮影の場合には、表示制御部１９１は、一方の撮影前には該一方の撮影用のＧＵＩを表示させるとともに、一方の撮影が終了することに応じて次の撮影用のＧＵＩへと表示を変更させる。また、いずれの撮影調整中かに関わらず、撮影モードとしては連続撮影モードであることを示す表示をする。あるいは終了済みの撮影部位または撮影モードと、次の未撮影の撮影部位または撮影モードとを表示させることとすれば、複数の撮影、特に３つ以上の撮影を連続して行う場合に撮影の順序をユーザに意識させ、誤撮影の可能性を低減させることができる。
【０１２９】
ステップＳ８０８でＣＧ制御部３０１は参照光と測定光の光路長差の調整を行う。調整の結果は制御部２００により記憶部３０９及び被検者情報記憶部２１１に格納される。また、被検者情報記憶部２１１に、断層画像の撮影が行われた際の断層画像、眼底或いは前眼部の二次元像、断層像の撮像位置の情報。また、撮影部位の情報、被検者ＩＤの情報，撮影時刻の情報、撮影用画面の情報、光路長差（コヒーレンスゲート）の情報、眼撮影用の装着部材の有無の情報がそれぞれ関連付けられて被記憶される。
【０１３０】
ステップＳ８１１で、解析処理部３１３は撮影済みの前眼部の断層画像に基づいて隅角の解析処理を行う。その他、角膜厚の解析処理を行うこととしてもよい。かかる解析処理は例えば制御部２００のＧＰＵを用いて行われる。また信号処理部１９０は、前眼部の断層撮影の後の後眼部の断層撮影の終了前に、前眼部の断層撮影により得られた断層画像の解析処理を開始する次の撮影と並行して行うことで、撮影から解析処理結果の表示までの遅延時間を短縮させることができる。
【０１３１】
ステップＳ８１２乃至Ｓ８１５の後眼部の撮影のための調整処理は、ステップＳ８１０の撮影の完了に応答した制御部２００により自動的に遷移する。なお、連続撮影モードの場合には前眼部のアラインメントはステップＳ８０５で終了しているため省略して制御を行う。
【０１３２】
ステップＳ８１２で、光学系変更部３０４は撮影の終了に応じてステップＳ６１０と同様に光学系を退避させる。
【０１３３】
ステップＳ８１３で、ＳＬＯフォーカス制御部３０７は撮影の終了に応じてＳＬＯ１４０の測定光のフォーカス位置の調整を開始させる。ステップＳ８１４で、ＯＣＴフォーカス制御部３０７は撮影の終了に応じてＯＣＴ１００の測定光のフォーカス位置の調整を開始させる。後眼部の場合にはＯＣＴ１００による信号が微弱であるため、ＳＬＯフォーカスの位置とＯＣＴのフォーカスレンズの位置の対応関係を示すルックアップテーブルを記憶部３０９に記憶しておき、ＳＬＯのフォーカス情報に基づいてＯＣＴのフォーカス位置を制御する。
【０１３４】
ステップＳ８１５で、ＣＧ制御部３０１は撮影の終了に応じてＣＧの調整を行う。ここで、ＣＧ制御部３０１はステップＳ８０８で記憶された前眼部撮影時の光路長差の値を記憶部３０９、被検者情報記憶部２１１のいずれかから取得し、この値を標準的な値と比較する。標準的な値との差分だけ、ステップＳ８１５で用いる初期値の値を予め定められた値から変化させる。
【０１３５】
ステップＳ８１８で、解析処理部３１３は後眼部の断層画像の解析処理を行う。この処理では、網膜の各層の厚みや、黄斑浮腫等の病変の検出処理が行われる。ここで、ＧＰＵを使って解析処理を行う場合、ステップＳ８１１の解析処理の終了に応じてステップＳ８１８の解析処理を行うこととしてもよい。
【０１３６】
ステップＳ８１９で表示制御部１９１は得られた断層画像を並べて表示する。並べて表示させることで、例えば糖尿病のように前眼部の隅角と後眼部の網膜層厚のように、両方の部位に異常が現れるような病気の診断の効率を向上させる。ここで画像表示処理を、Ｓ８１１またはＳ８１８のいずれかの解析処理が終了する前に行うこととすれば、解析処理の結果が出るまで画像による診断が可能となり、ユーザを無駄に待たせることがない。
【０１３７】
ステップＳ８２０で、表示制御部１９１は得られた解析結果を表示部１９２に表示させる。
【０１３８】
かかる処理により、連続撮影を効率的に実行することができる。
【０１３９】
図９は被検者情報記憶部２１１に記憶される情報に応じて設定される前眼部撮影時のＧＵＩの一例を示す図である。表示画面９０１は、撮影支援情報、撮影の設定情報、または撮影中の画像をリアルタイムで取得して表示する。表示画面９０１は、表示制御部１９１の制御により表示部１９２に表示される。
【０１４０】
領域９０２は、モード指定部３１１により指定された撮影モードを表示する表示領域である。前眼部撮影モードの場合として、領域９０２には「前眼部ＯＣＴ撮影モード」の文字が表示されている。あるいは文字ではなく、眼部の画像に撮影部位を強調して表示させるアイコンで撮影部位を表示させることとしてもよい。
【０１４１】
領域９０３は撮影モードに応じた調整項目に関する調整状態を表示する表示領域である。図９に示すように前眼部撮影モードに特有の調整項目として前眼レンズ及び額当ての調整状態を示す情報が表示されている。前回の撮影で前眼撮影用の装着部材である前眼レンズ、額当てのいずれかが装着されていたにもかかわらず、再度撮影する場合に装着部材が検知されない場合に警告表示９０３が表示される。また、この場合にはコヒーレンスゲートの調整が行われない。更に断層像の撮影が禁止される。
【０１４２】
領域９０７は、複数の撮影モード間で共通の調整項目についての調整状態を表示させる表示領域である。図９ではアラインメントが未完了である旨の文字が表示されている。
【０１４３】
領域９０３、領域９０７は、領域９０２とは異なり２重の枠線で囲われている。これは、調整が未完了であることを示すものである。一方で調整が完了している調整項目について完了の旨を表示する場合には、領域９０２と同様の通常の枠線で囲われる。このように表示制御部１９１は複数の調整状態について、前眼部の撮影に対する調整が完了した調整項目と完了していない調整項目とを示す表示態様で複数の調整状態を表示させ、未完了の調整項目を強調表示する。このような強調表示により、ユーザに対して調整が未完了である旨を意識させることができる。
【０１４４】
さらに、領域９０７では「Ｗａｒｎｉｎｇ」の文字が表示されている。これは、領域９０２に表示された撮影モードの情報と、調整項目の状態とに齟齬があると表示制御部１９１により判定された場合に表示される。前眼部撮影であれば、ワーキングディスタンスや光学系を調整するために予め前眼レンズや額当て等のアダプタ部を装着しなければ、位置合わせが正確には行えない。このように、表示制御部１９１は、複数の調整状態のそれぞれが適合する撮影モードに応じた表示態様で複数の調整状態を表示させ、撮影モードと齟齬がある調整状態については、警告を示す表示を付する。これによりユーザに対して強く調整を促すことができる。
【０１４５】
前眼観察領域９０４は前眼撮影部１６０によって得られた前眼部の画像９０５を表示する。
【０１４６】
前眼観察領域９０４の近傍に配置されたアラインメントスライダ９０６は被検眼に対する光学ヘッドのＺ方向の位置をユーザの操作に応じて手動で調整を行うためのＧＵＩである。ユーザが操作部３１２を介してアラインメントスライダ９０６を動かすと、動かす方向に応じて駆動制御部１８０はステージ部２０７をＺ方向に移動させる。前眼観察画面９０４上の任意の点をマウスでクリックすることで、その点を画面の中心にするよう光学ヘッド２０８を不図示のＸＹＺテーブルにて移動させ、光学ヘッドと被検眼の位置合わせを行う。
【０１４７】
領域９０８はＯＣＴ１００により取得された断層画像を確認するための表示領域である。
【０１４８】
ＣＧスライダ９０９はＯＣＴ１００のコヒーレンスゲートの位置をユーザの操作に応じて手動で調整を行うためのＧＵＩである。ここでの初期位置は被検者情報記憶部２１１に記憶される情報に応じて設定される。また、ユーザが操作部３１２を介してＣＧスライダ９０９を動かすと、動かす方向に応じてＣＧ制御部３０１は駆動制御部１８０を介してコヒーレンスゲートステージ１２２を駆動し、ミラー１２３を移動させる。
【０１４９】
フォーカススライダ９１０は、ＯＣＴ１００のフォーカスの位置をユーザの操作に応じて手動で調整を行うためのＧＵＩである。フォーカス調整は、ＯＣＴフォーカス制御部３０７が駆動制御部１８０を指示し、眼底に対する合焦調整を行うために、フォーカスレンズを図示の方向に移動させる。ユーザが操作部３１２を介してフォーカススライダ９１０を動かすと、動かす方向に応じてＯＣＴフォーカス制御部３０７は駆動制御部１８０を制御し、フォーカスレンズの位置を変更する。
【０１５０】
図１０は被検者情報記憶部２１１に記憶される情報に応じて設定される前眼部撮影時のＧＵＩのその他の例を示す図である。図１０に示す状態では、領域９０７にアラインメントが完了した旨を示す情報が１重の枠線で囲われて表示されている。また領域９０３に「アダプタ装着済  レンズ挿入済」の文字で、アダプタ部が適切に設定されていることを示す情報が１重の枠線で囲われて表示されている。領域９０８には前眼部の断層画像が表示されている。線分１００３が前眼観察領域９０４内の前眼部の画像９０５に重畳される形で表示される。この線分は領域９０８に表示される断層画像に対応するスキャン位置（撮影範囲）を示す。ユーザは操作部３１２を介してこの線分の位置を自由に設定可能である。最終的に設定された線分１００３の位置で、本撮影のスキャンがなされる設定としてもよい。
【０１５１】
図１０に示す状態では、判定部３１０により撮影が可能な状態であるとの判定がなされた状態である。この場合、表示制御部１９１は、撮影が可能な状態と判定されることに応じて撮影ボタン１００２を表示させる。
【０１５２】
撮像ボタン１００２は各種調整が終了したときに、このボタンを押すことで所望の撮像が行われる。そして、被検者情報記憶部２１１に、断層画像の撮影が行われた際の断層画像、前眼部の二次元像、断層像の撮像位置の情報、また、撮影部位の情報、被検者ＩＤの情報，撮影時刻の情報、撮影用画面の情報、光路長差（コヒーレンスゲート）の情報、眼撮影用の装着部材の有無の情報がそれぞれ関連付けられて記憶される。
【０１５３】
そのほか、開始ボタン１００１を押すことで断層画像のプレ撮影が開始され、領域９０８に取得した被検眼像がリアルタイムで表示される。
【０１５４】
図１１は、表示画面９０１に被検者情報記憶部２１１に記憶される情報に応じて設定される後眼部撮影モードでの撮影用ＧＵＩを表示した場合の画面例である。前述の図９、１０と同様の部分については説明を省略する。
【０１５５】
領域９０２には「眼底ＯＣＴ撮影モード」の文字によりユーザが指定した撮影モードが表示されている。領域９０３にはＯＣＴのフォーカスが未完である旨の文字が、調整が未完であることを示す二重の枠線で囲われて表示されている。自動調整モードがＯＦＦになっていない場合のＧＵＩが開示されており、この場合、ユーザの操作性や情報の見易さを向上させるために、領域９０７にはアラインメントの調整が完了した旨の表示はさせない。
【０１５６】
図１２は被検者情報記憶部２１１に記憶される情報に応じて設定される後眼部撮影モードでの撮影用ＧＵＩの一例を示す図である。前回の撮影で前眼撮影用の装着部材である前眼レンズ、額当てのいずれかが装着されていないにもかかわらず、再度撮影する場合に装着部材が検知された場合に図示しない警告表示が表示される。また、この場合にはコヒーレンスゲートの調整が行われない。更に断層像の撮影が禁止される。
【０１５７】
このように前眼撮影用の装着部材の有無の情報に基づいて被検体を再度撮影する。この場合に、検知部としてのアダプタ検知部の前眼撮影用の装着部材の有無の情報に基づいて前記被検体を再度撮影する場合に、前記検知部で前眼撮影用の装着部材の有無と反する場合に前記断層画像の撮影を禁止する。
【０１５８】
これにより誤った撮影を防ぐことができ、被検眼に不要な負担をかけることを防止することができる。
【０１５９】
更に、撮影が終了した後には、被検者情報記憶部２１１に、断層画像の撮影が行われた際の断層画像、前眼部、眼底部の二次元像、断層像の撮像位置の情報。また、撮影部位の情報、被検者ＩＤの情報，撮影時刻の情報、撮影用画面の情報、光路長差（コヒーレンスゲート）の情報、眼撮影用の装着部材の有無の情報がそれぞれ関連付けられて被記憶される。
【０１６０】
領域１２０１はＳＬＯ１４０により得られた眼底２次元像を表示する領域である。
【０１６１】
図１２も図１１と同じく、自動調整モードがＯＦＦになっていない場合のＧＵＩが開示されており、この場合、ユーザの操作性や情報の見易さを向上させるために、調整が完了した旨の表示はさせない。更に図１２では、眼底の断層画像が表示された状態であり、撮影部位の情報はあえて表示する必要がないため、領域９０２の表示は画面上からは削除している。
【０１６２】
図１３は被検者情報記憶部２１１に記憶される情報に応じて連続撮影が選択された場合の解析処理結果の表示画面の例である。なお同一被検眼について前眼部と後眼部を撮影した場合にもかかる表示画面は利用可能である。
【０１６３】
領域１３００は前眼部の断層画像を表示する表示領域である。
【０１６４】
撮影部１６０で得られる前眼部の平面画像１３０１は領域１３０２に表示される。領域１３０２では、前眼部の断層画像に対応するスキャン位置を線分１３０９により点線で示している。見易さの観点から線分の長さとスキャン範囲は厳密には一致しない表示形態としている。もちろん、スキャン範囲に対応する位置のみを実践で示すこととすれば、撮影範囲との対応関係が分かりやすくなる。
【０１６５】
領域１３０４は、解析処理部３１３で前眼部断層画像を解析して得られた結果のひとつである隅角の大きさのグラフを示している。グラフでは縦軸が隅角の大きさであり、解析で得られた隅角の大きさは、瞳孔を中心とする極座標の角度成分を位置として横軸に取り表している。線分１３０５は、領域１３００で表示される断層画像の撮影位置と対応している。また、領域１３０２のスキャン位置を示す線分１３０９と対応している。ユーザは操作部３１２を操作して、任意に断層画像、線分１３０９、線分１３０５の１つの位置を変更することができ、それに応じて残りの画像または線分が連動して対応する位置へと移動する。これにより、断層画像と隅角の値とを比較して参照することができる。
【０１６６】
領域１３０６には後眼部の断層画像が表示される。領域１３０７にはＳＬＯで撮影された眼底の平面画像が表示される。領域１３０７の眼底の画像には、特定の層の層厚マップを重畳して表示させることができる。層厚マップの表示有無、及び表示対象とする層はユーザによる操作部３１２の操作に基づいて表示制御部１９１が記憶部３０９の解析結果から適宜選択して表示させる。領域１３０８には領域１３０６に表示された断層画像における特定の層の層厚を示すグラフが表示される。このグラフでは、縦軸が層厚、横軸が断層画像のＢスキャン方向の位置となっている。領域１３０７は線分１３１０により領域１３０６に表示された断層画像のスキャン位置及び範囲に対応する線分が描画される。領域１３０７及び領域１３０８で表示対象となっている層はユーザによる操作部３１２からの入力に基づいて表示制御部１９１が選択する。
【０１６７】
ユーザが操作部３１２を介して線分１３１０の位置、断層画像、表示対象とする層厚、のいずれか１つを操作することで、他の情報が連動して変更する。これにより、スキャン位置、断層画像、層厚マップ、及び特定の断層画像における層厚のグラフを対応関係が保持されたままでの比較が容易に行える。
【０１６８】
さらには、前眼部の画像及び解析結果と後眼部の画像及び解析結果をまとめて表示させることで、特定の疾患に対して前眼部側の異常と後眼部側の異常とを統合的に比較することが容易になる。
【０１６９】
［表示画面］
図１４は、本実施形態における表示部１９２における被検者情報記憶部２１１に記憶される情報に応じて設定される撮影用画面例である。図１４では、２Ｄ撮像モードで撮像された断層画像１４３１が、領域１４３０に表示されている。
【０１７０】
ＯＣＴ１００は、深い撮像領域を持つため、本実施形態では、コヒーレンスゲート位置から所定の深さ（図における縦方向の長さ）の断層画像を切り出して表示している。なお、眼底画像が表示された領域１４１１の下側に、断層画像の表示領域１４３１が位置しているが、領域１４１１を下側とし領域１４３１を上側として表示しても良い。領域１４１１の上側の領域または下側の領域１４３１に断層画像を表示することにより、画角が広い断層画像を縮小することなく表示できるので、断層画像を観察しやすくなる。なお、領域１４２０には、装置に関する情報、被検者に関する情報等が表示される。更に、撮影が終了した後には、被検者情報記憶部２１１に、断層画像の撮影が行われた際の断層画像、眼底部の二次元像、断層像の撮像位置の情報。また、撮影部位の情報、被検者ＩＤの情報，撮影時刻の情報、撮影用画面の情報、光路長差（コヒーレンスゲート）の情報、眼撮影用の装着部材の有無の情報がそれぞれ関連付けられて被記憶される。
【０１７１】
以上説明のように本実施形態によれば、ＳＳ−ＯＣＴ等で取得した広画角の断層画像を効率的に提示することができる。また、予め用意された断層画像の表示領域に断層画像を表示しきれない場合は、領域を拡大して断層画像を表示するため、分解能を落とすことなく断層画像を表示することができる。更に、予め用意された断層画像の表示領域に断層画像を表示しきれない場合は、領域をスクロールして断層画像を表示するため、観察したい部分の断層画像を表示することができる。
【０１７２】
例えばＳＳ−ＯＣＴでは従来型のＯＣＴに比べて深さ方向の撮影範囲を広くすることができるため、網膜だけでなく例えば前眼部の断層撮影にも利用できる。
【０１７３】
図１５のフローチャートに従い、自動調整の設定を説明する。
【０１７４】
ステップＳ１５０１で制御設定部３０３は、自動調整がオフに指定されているか否かを判定する。自動調整の指定は操作部３１２からの操作入力に基づきモード指定部３１１により行われる。自動調整がオフに指定されていると判定された場合には、ステップＳ１５０２に進み、オフに指定されていない場合にはＳ１５０３に進む。
【０１７５】
ステップＳ１５０２で、設定制御部３０３は、自動で行わないことが設定された場合には、設定に係る調整項目について判定部３１０により調整が完了していると判定された調整項目について調整が完了した旨の情報を表示させる表示モードを設定する制御を行う。設定制御部３０３は表示モードを表示制御部１９１に対して設定する。
【０１７６】
ステップＳ１５０３で、設定制御部３０３は、調整が完了していると判定された調整項目について調整が完了した旨の情報は表示させない表示モードを設定する。設定制御部３０３は、表示モードを表示制御部１９１に対して設定する。ユーザに対して特に完了した調整項目についての調整状態を通知する意義は薄いので、画面領域の効率的な利用や、情報の見易さを向上させる。
【０１７７】
モード指定部３１１でアラインメント、フォーカス、コヒーレンスゲートの調整の自動調整がオフに指定された場合、アラインメント部として機能するステージ部２０７、図２に示すアダプタ検出部、フォーカス制御部３０７、ＣＧ制御部３０１のそれぞれに対し、制御設定部３０３は自動調整を行わないよう指示する。制御設定部３０３はさらに、複数の調整項目について個別に調整を自動で行うか否かを設定することができる。またこの際、調整が自動で行われないように制御しつつ、調整が完了しているか否かの判定自体は終了させずともよい。もちろん制御設定部３０３からの指示で判定部３１０に判定処理自体を行わせないように制御することもできる。
【０１７８】
その他、上述の実施形態を適宜組み合わせたものについても、本発明の実施形態に含まれる。あるいは、本発明の一部をプログラムとハードウェアとの協働により実現する場合も本発明の実施形態に含まれる。プログラムによる実施形態では、図５乃至８および１５に示す処理に対応するプログラム、ならびに図９乃至１４に示す表示画面に対応するプログラムを記憶部３０９に格納しておき、ＣＰＵがＲＡＭに展開し、ＣＰＵでプログラムに含まれる指令を実行していくことにより達成される。
【０１７９】
上述の実施形態は、本発明の実施形態の例示であり、発明の範囲は上述の実施形態に限定されない。
【図１】
0006045173.tif 000002
【図２】
0006045173.tif 000003
【図３】
0006045173.tif 000004
【図４】
0006045173.tif 000005
【図５】
0006045173.tif 000006
【図６】
0006045173.tif 000007
【図７】
0006045173.tif 000008
【図８】
0006045173.tif 000009
【図９】
0006045173.tif 000010
【図１０】
0006045173.tif 000011
【図１１】
0006045173.tif 000012
【図１２】
0006045173.tif 000013
【図１３】
0006045173.tif 000014
【図１４】
0006045173.tif 000015
【図１５】
0006045173.tif 000016